(57)【要約】一実施形態では、本方法は、移動体機器に、共用順方向リンク・データ・チャネルを介してデータを伝送するための順方向リンク・リソースを割り当るステップ（Ｓ１４）を含み、その割り当てられた順方向リンク・リソースに関連する逆方向リンク・データ伝送用の逆方向リンク・リソースは割り当てない。受信されたデータの少なくとも一部は、その移動体機器に、時分割多重アクセス・エア・インターフェースを介した共用順方向リンク・データ・チャネル上で、割り当てられた順方向リンク・リソースを使用して、その移動体機器から肯定応答が受信されるまで、またはある回数の伝送が行われるまで繰り返し送信される（Ｓ１６）。
2011509630.tif 000002
【特許請求の範囲】
【請求項１】
ワイヤレス・データ伝送の方法であって、
第１の移動体機器（１２０）への伝送用の第１のデータを受信するステップと、
共用順方向リンク・データ・チャネルを介してデータを伝送する順方向リンク・リソースを前記第１の移動体機器に割り当てるステップ（Ｓ１４）を含み、前記割り当てられた順方向リンク・リソースに関連する逆方向リンク・データ伝送用の逆方向リンク・リソースは割り当てず、さらに、
前記第１の移動体機器から肯定応答が受信されるか又はある回数の伝送が行われるまで、前記割り当てられた順方向リンク・リソースを使用して、時分割多重アクセス・エア・インターフェースを介した前記共用順方向リンク・データ・チャネル上で、前記受信された第１のデータの少なくとも一部を前記第１の移動体機器に繰り返し送信するステップ（Ｓ１６）を含む、方法。
【請求項２】
前記割り当てるステップは、前記共用順方向リンク・データ・チャネル専用に予約された複数の識別子から１つの識別子を選択するステップを含む、請求項１に記載の方法。
【請求項３】
前記受信された第１のデータを送信する前に、前記選択された識別子を順方向リンク制御チャネルを介して前記第１の移動体機器に送信するステップをさらに含み、
前記受信された第１のデータを送信する前記ステップは、前記受信された第１のデータに関連する前記選択された識別子を送信する、請求項２に記載の方法。
【請求項４】
前記選択された識別子を送信する前記ステップは前記選択された識別子とともにデータ伝送速度を送信し、前記データ転送速度は、前記第１のデータが前記第１の移動体機器に送信されるデータ転送速度を表す、請求項３に記載の方法。
【請求項５】
前記共用順方向リンク・データ・チャネルに関連する共用逆方向リンク肯定応答チャネルを介して、前記第１の移動体機器から前記肯定応答または否定応答を受信するステップ（Ｓ１８）をさらに含み、前記受信される肯定応答または否定応答が、前記送信された第１のデータの受信に関連する設定されたタイミングで送信される、請求項１に記載の方法。
【請求項６】
ワイヤレス・データ伝送の方法であって、
移動体機器が伝送用のデータを有することを表すデータ警報メッセージを逆方向リンク・アクセス・チャネル上で受信するステップ（Ｓ４０）と、
前記受信されたデータ警報メッセージに応答して、共用逆方向リンク・データ・チャネルを介してデータを受信する逆方向リンク・リソースを割り当てるステップ（Ｓ４２）とを含み、前記割り当てられた逆方向リンク・リソースに関連する順方向リンク・データ伝送用の順方向リンク・リソースは割り当てず、さらに、
前記割り当てられた逆方向リンク・リソースに基づいて、前記逆方向リンク・データ・チャネル上で、前記データが正常にデコードされるまで、前記データの少なくとも一部を、繰り返し受信するステップ（Ｓ４４）と、
前記受信されたデータが正常にデコードされたときには、前記受信されたデータの肯定応答を順方向リンク・チャネル上で送信するステップ（Ｓ４６）とを含む、方法。
【請求項７】
前記割り当てるステップは、
前記共用逆方向リンク・データ・チャネル専用に予約された複数の識別子から１つの識別子を選択するステップと、
前記データを受信する前記ステップの前に、前記選択された識別子を含む割り当てメッセージを前記移動体機器に順方向リンク制御チャネルを介して送信するステップとを含む、請求項６に記載の方法。
【請求項８】
前記データを受信する前記ステップは、前記選択された識別子に基づいてスクランブリング符号を導出し、前記導出されたスクランブリング符号を使用して前記逆方向リンク・データ・チャネル上で前記データを受信する、請求項７に記載の方法。
【請求項９】
前記割り当てメッセージが送信されるタイミングは、前記移動体機器が前記データをいつ送信するかを設定する、請求項７に記載の方法。
【請求項１０】
前記共用逆方向リンク・データ・チャネル専用に予約された複数の識別子から使用可能な識別子を同報通信するステップをさらに含み、
前記データ警報メッセージは、前記使用可能な識別子から選択された１つの識別子を含む、請求項６に記載の方法。
【発明の詳細な説明】
【背景技術】
【０００１】
高速パケット・データ（ＨＲＰＤ）標準（ａｋａ  ＥＶ−ＤＯ）は、他の最近定義された高速ワイヤレス・データ技術と同様に、大量のデータ・トランザクションを行う少数の活発なユーザのためにエア・インターフェース伝送効率を最大にするように設計された。この技術は、トラフィック・チャネルのパフォーマンスを最適化するために複数のオーバーヘッド／フィードバック・チャネルを使用する。
【０００２】
しかし、ＨＲＰＤ  Ｒｅｖ．０／ＲｅｖＡシステムの展開が進むにつれて、トラフィック・パターンが上記の想定から大幅に逸脱することが見られるようになった。すなわち、ワイヤレス・ネットワークで普及しているデータ・アプリケーションのほとんどは、短いメッセージ・サービス、リッチ・プレゼンス・アプリケーションなどによって生成されるような短いデータ・バーストおよび極めて長いバースト間インターバルを有している。このパターンは、ワイヤレス・デバイスとネットワーク間の通信が自動化されたアプリケーションの登場によってさらに拡大している。これらのアプリケーションは、多くの場合、エンドユーザの介入を必要とせず、アプリケーション状態の通知およびキープアライブ・メッセージなどの間欠メッセージングを必要とする「常時オン」概念に基づく。
【０００３】
これらのアプリケーションは「チャッティ・アプリケーション」と呼ばれることがあるが、それは、アプリケーションが頻繁にネットワークにアクセスするが、各アクセスは、少量のデータ・トラフィックを生成するだけであるという意味である。
【０００４】
チャッティ・アプリケーションがワイヤレス市場を席巻しているので、当初の設計理念とのずれのために、達成されたエア・インターフェースＨＲＰＤパフォーマンスが著しく低下している。少数のユーザが同時にネットワークにアクセスするのではなく、それよりはるかに多くのユーザがネットワークにアクセスしようとしているように見受けられる。このことは、アクセス・チャネルの負荷を大幅に増大させ、アクセス・チャネルの過負荷のために逆方向リンク上に高いＲＦ干渉を引き起こす。少数の活発なユーザがＲＦ接続を保持するのではなく、ネットワークは多数の接続を開放し、そのため接続のオーバーフローおよび呼のブロックが発生する。加えて、各接続は関連のオーバーヘッド／フィードバック・チャネルを保持するので、これらのオーバーヘッド・チャネルをサポートするためだけに高いＲＦリソース使用率が生まれる。その上、効率的なエア伝送を利用する大量のデータの代わりに、各チャッティ・アプリケーション接続は、接続の持続中を通して少量のデータを生成するだけで、しかもそれを間欠的に行う。すなわち、接続は、接続時間のほとんどの間、アイドルのままである。これは、接続の使用率を非常に低くする。
【発明の概要】
【発明が解決しようとする課題】
【０００５】
本発明は、ワイヤレス・データ伝送の方法に関する。
【課題を解決するための手段】
【０００６】
少なくとも１つの実施形態は、不変の固定オーバーヘッドを持たない柔軟な短いパケット伝送を提供し、および／または長々しい接続セットアップ・プロセスによって引き起こされる長い遅延を避けることができる。
【０００７】
例えば、一実施形態では、本方法は、移動体機器に、共用順方向リンク・データ・チャネルを介してデータを伝送するための順方向リンク・リソースを割り当て、その割り当てられた順方向リンク・リソースに関連する逆方向リンク・データ伝送用の逆方向リンク・リソースを割り当てないステップを含む。受信されたデータの少なくとも一部は、その移動体機器に、時分割多重アクセス・エア・インターフェースを介した共用順方向リンク・データ・チャネル上で、割り当てられた順方向リンク・リソースを使用して、その移動体機器から肯定応答が受信されるまで、またはある回数の伝送が行われるまで繰り返し送信される。
【０００８】
別の実施形態では、本方法は、移動体機器が伝送用のデータを有することを表すデータ警報メッセージを逆方向リンク・アクセス・チャネル上で受信するステップを含む。受信されたデータ警報メッセージに応答して、ネットワーク要素は、その移動体機器に、共用逆方向リンク・データ・チャネルを介してデータを受信するための逆方向リンク・リソースを割り当て、その割り当てられた逆方向リンク・リソースに関連する順方向リンク・データ伝送用の順方向リンク・リソースを割り当てない。そのデータの少なくとも一部は、逆方向リンク・データ・チャネル上で、割り当てられた逆方向リンク・リソースに基づいて、データが正常にデコードされるまで繰り返し受信され、受信されたデータが正常にデコードされた場合、受信されたデータの肯定応答が順方向リンク・チャネル上で送信される。
【０００９】
本発明は、本明細書における以下の詳細な説明および添付の図面から、より完全に理解できるであろう。以下の図面において、同様の要素は同様の参照番号で表され、それらは例示の目的でのみ提示されているのであって、そのため、本発明を限定するものではない。
【図面の簡単な説明】
【００１０】
【図１】ワイヤレス通信システムの一部を示した図である。
【図２】本発明の一実施形態による、移動体機器への順方向リンク・データ伝送の方法を実行する際の関連チャネルを介した通信を示した図である。
【図３】本発明の一実施形態による、移動体機器からの逆方向リンク・データ伝送の方法を実行する際の関連チャネルを介した通信を示した図である。
【図４】本発明の別の実施形態による、移動体機器への順方向リンク・データ伝送の方法を実行する際の関連チャネルを介した通信を示した図である。
【図５】本発明の別の実施形態による、移動体機器からの逆方向リンク・データ伝送の方法を実行する際の関連チャネルを介した通信を示した図である。
【発明を実施するための形態】
【００１１】
以下で、本発明の様々な実施形態の例を、本発明のいくつかの実施形態の例を図示した添付の図面を参照しながら、より完全に説明する。本明細書では、本発明の詳細な例示的な実施形態が開示される。ただし、本明細書で開示される具体的な構造および機能の詳細は、本発明の実施形態の例を説明する目的で記載されているにすぎない。しかし、本発明は、多くの代替の形態で実施することができ、本明細書に記載される実施形態のみに限定されるものと解釈すべきではない。したがって、本発明の実施形態の例は様々な変更および代替の形態が可能であるが、本発明の実施形態を例示の目的で図面に示し、本明細書で詳細に説明する。ただし、本発明の実施形態の例を、開示された特定の形態に限定する意図はなく、それどころか、本発明の実施形態の例は、本発明の範囲に分類されるすべての変更、均等物および代替形態をカバーするものと理解すべきである。図の説明全体にわたって同様の番号は同様の要素を指す。
【００１２】
本明細書では、様々な要素を説明するために用語、第１、第２などが使用されることがあるが、これらの要素は、このような用語によって限定されるべきではないことを理解されたい。これらの用語は、ある要素を別の要素と区別するためのみに使用されている。例えば、本発明の実施形態例の範囲から逸脱することなく第１の要素を第２の要素と呼ぶこともできるし、同様に第２の要素を第１の要素と呼ぶこともできる。本明細書で使用された場合、用語「および／または」は、関連するリスト項目のうちの１つまたは複数の項目の任意の組合せ、およびすべての組合せを含む。
【００１３】
要素が別の要素に「接続されている」または「結合されている」といわれた時、その要素は他方の要素に直接に接続または結合されている可能性もあるし、介在する要素が存在する可能性もあることを理解されたい。それとは対照的に、要素が別の要素に「直接に接続されている」または「直接に結合されている」といわれた時、介在する要素は存在しない。要素間の関係を表すために用いられる他の用語（例えば、「間」対「直接的な間」、「隣接」対「直接的な隣接」など）も同様に解釈すべきである。
【００１４】
本明細書で用いられる用語は、特定の実施形態を説明する目的で使用されるだけであって、本発明の実施形態の例を限定することは意図されていない。本明細書で使用された場合、単数形の「ａ」、「ａｎ」および「ｔｈｅ」は、文脈上で明らかに他が示されていない限り、複数形も含むことが意図されている。用語「備える」、「備えている」、「含む」および／または「含んでいる」（「ｃｏｍｐｒｉｓｅｓ」、「ｃｏｍｐｒｉｓｉｎｇ」、「ｉｎｃｌｕｄｅｓ」および／または「ｉｎｃｌｕｄｉｎｇ」）は、本明細書で使用された場合、記載された特徴、整数、ステップ、動作、要素および／または構成要素が存在することを表すが、１つまたは複数の他の特徴、整数、ステップ、動作、要素、構成要素および／またはそれらのグループの存在または追加を排除するものではないことを理解されたい。
【００１５】
一部の代替実施態様では、記載される機能／行為は、図に記載された順序通りでなく実行されてもよいことにも留意すべきである。例えば、続けて示された２つの図は、実際には、関係する機能／行為に応じて、実質的に同時に実行されることもありうるし、時には逆の順で実行されることもありうる。本明細書で使用された場合、用語「移動体機器」は、移動体ユニット、移動体局、移動体ユーザ、ユーザ機器（ＵＥ）、加入者、ユーザ、リモート局、アクセス端末（ＡＴ）、受信機などと同義であると考えることができ、これ以降、場合に応じてそのように呼ばれることがあり、さらにワイヤレス通信ネットワーク内のワイヤレス・リソースのリモート・ユーザを表すこともある。用語「基地局」は、基地送受信局（ＢＴＳ）、基地局、ノードＢなどと同義と考えることができ、および／または、これ以降、そのように呼ばれることがあり、さらにネットワークと１人または複数のユーザ間のデータおよび／または音声接続を提供する機器を表すこともある。
【００１６】
当技術分野でよく知られているように、移動体機器および基地局のそれぞれは伝送機能および受信機能を有することができる。基地局から移動体機器への伝送は、ダウンリンクまたは順方向リンク通信と呼ばれる。移動体機器から基地局への伝送は、アップリンクまたは逆方向リンク通信と呼ばれる。
【００１７】
図１は、本発明の一実施形態による、ワイヤレス通信ネットワークまたはシステム１００の一部を示している。図示されているように、ワイヤレス通信システム１００は、１つまたは複数の基地局１１０に通信可能に結合される無線ネットワーク・コントローラ（ＲＮＣ）１０５を備える。簡潔にするために、ただ１つの基地局１１０が示されている。ＲＮＣ  １０５は、多様なワイヤードおよび／またはワイヤレス・リンクのいずれかによって１つまたは複数の基地局１１０に通信可能に結合することができる。ＲＮＣ  １０５と１つまたは複数の基地局１１０間で渡される信号は、１つまたは複数の他のデバイス（図示せず）、例えば、ルータ、開閉器、ネットワークなどを通ることができる。ＲＮＣ  １０５、基地局１１０および他のデバイスは、多くの場合、まとめてワイヤレス・ネットワークまたはシステム１００と呼ばれる。
【００１８】
各基地局１１０は少なくとも１つのセル１１５に関連する。各セル１１５は、所与の半径を有する地理的エリアに対応する。セル１１５内に同時に複数の移動体機器１２０があってよい。例えば、ＨＲＰＤ  ＲｅｖＡについてよく知られているように、移動体機器１２０は、順方向リンク制御チャネル（Ｆ−ＣＣ）をページおよびオーバーヘッド・メッセージングに関して監視し、通信を開始して、逆方向リンク拡張アクセス・チャネル（Ｒ−ＥＡＣ）を介して応答を送信する。本発明の一実施形態によれば、各基地局１１０は、データ伝送用に次の新しいタイプのエア・インターフェース・チャネル、すなわち、予約制共用順方向リンク・データ・チャネル（Ｆ−ＲＳＤＣ）および予約制共用逆方向リンク・データ・チャネル（Ｒ−ＲＳＤＣ）を提供する。同様に、いくつかの他の仲間チャネルが提供され、それとともに、そのチャネルを動作させるためのいくつかの新しいオーバジエア信号メッセージが提供される。以下で、これらのチャネルおよびメッセージについて詳しく説明する。
【００１９】
順方向リンクおよび逆方向リンク共用データ・チャネルは、単一のユーザの専用ではなく、複数のユーザによって使用できる。共用データ・チャネルはパケット伝送スロット・タイミング構造を有することができ、システム１００は、Ｆ−ＲＳＤＣでは、次の使用可能なパケット伝送スロットでどのユーザがパケットを受信できるか、またはＲ−ＲＳＤＣでは、次の使用可能なパケット伝送スロットでどのユーザがパケットを伝送できるかを決定するために任意のよく知られたスケジューリング・アルゴリズムを使用することができる。パケット伝送プロセスは、ＲＦ伝送効率を改善するため、および、例えば、旧版のＨＲＰＤ標準に基づいたネットワークおよび移動体デバイスとの互換性およびインターワークによる実施を容易にするために、トラフィック・チャネルに関する規則と同様の規則を使用することができる。
【００２０】
順方向リンクでは、予約制共用データ・チャネル（Ｆ−ＲＳＤＣ）は、現行の、よく知られた順方向トラフィック・チャネル（ＦＴＣ）と同一の物理チャネル構造を有し、同チャネルと時間多重化されるが、Ｆ−ＲＳＤＣ専用に予約された、割り当てられた媒体アクセス制御（ＭＡＣ）インデックスを用いて動作し、２つ以上の移動体機器用のデータを搬送することができる。例えば、期待される容量を満たすために、Ｆ−ＲＳＤＣに関連する複数のＭＡＣインデックスがあってもよい。Ｆ−ＲＳＤＣ上のパケット伝送は、よく知られたＨＡＲＱプロセスを経るが、そのプロセスでは、移動体機器１２０が、新しく提供された仲間チャネル――逆方向共用肯定応答チャネル（Ｒ−ＳＡＣＫ）――上で肯定応答（ＡＣＫ）または否定応答（ＮＡＣＫ）を上方に送信する。
【００２１】
次に、Ｆ−ＲＳＤＣを使用するデータ伝送の動作を図２について説明する。図２は、本発明の一実施形態による、移動体機器への順方向リンク・データ伝送の方法を実行する際の関連チャネルを介した通信を示している。この方法は、図１のワイヤレス通信ネットワークによって実施されるとおりに説明されるが、本発明の用途はこのネットワークに限定されないことを理解されたい。
【００２２】
図示されているように、ネットワーク１００が少量のデータをユーザに伝送したい場合、基地局１１０は、まず、ステップＳ１０で、既存の順方向リンク制御チャネルを介してデータ警報メッセージを送出することにより、ユーザを突き止めようとする。よく知られているように、ＨＲＰＤでは、既知のウェイクアップ・サイクルでアイドル・ユーザに伝送するために同期制御チャネルが使用される。
【００２３】
ユーザの移動体機器１２０が、データ警報メッセージを伝送する基地局１１０のセル１１５内にある場合、移動体機器１２０は、ステップＳ１２で示されるように、既存の拡張アクセス・チャネル（Ｒ−ＥＡＣ）上でデータ警報応答を送信することにより応答する。データ警報応答メッセージは、移動体機器１２０によって観察された順方向リンクＲＦ状態を含む。例えば、順方向リンクＲＦ状態はチャネル品質表示（ＣＱＩ）フィールドであってよく、基地局１１０によって、順方向リンク・データ伝送速度を判定するために使用できる。ステップＳ１４において、基地局１１０は、移動体機器に、共用順方向リンク・データ・チャネルを介して伝送するための順方向リンク・リソースを割り当て、その割り当てられた順方向リンク・リソースに関連する逆方向リンク・データ伝送用の逆方向リンク・リソースを割り当てない。例えば、基地局１１０は、基地局１１０と移動体機器１２０との間にデータ接続が確立された場合、通常発生する移動体機器１２０からのデータ伝送を受信するための別個の受信用リソース等を提供する必要はない。そのため、この実施形態でのデータ伝送は、コネクションレス型と考えることができる。これと相補的に、また以下からも分かるように、移動体機器１２０は、順方向リンク上でデータを受信するためのリソースを提供するが、順方向リンクに割り当てられたリソースに関連する逆方向リンク上でデータを伝送するためのリソースを提供する必要はない。リソース割り当ての一部として、基地局１１０は、Ｆ−ＲＳＤＣ専用に予約されたＭＡＣインデックスのうちの使用可能なもの１つ（すなわち、割り当てられていないもの１つ）を選択し、既存（非同期）の順方向リンク制御チャネルを介して順方向予約割り当てメッセージを送信する。すなわち、順方向予約割り当てメッセージは、その移動体機器用に選択または割り当てられたＭＡＣインデックスを示す。ＭＡＣインデックスと関連するデータ転送速度を送信できる。このデータ転送速度は、データがＦ−ＲＳＤＣを介して移動体機器１２０に送信されるデータ転送速度を表す。このデータ転送速度は、例えば、ＦＴＣ  ＲｅｖＡデータ転送速度の１つから選ぶことができ、選ばれるデータ転送速度は、移動体機器１２０からのデータ警報応答とともに提供されるＣＱＩ情報に基づいて、任意のよく知られた方法を使用して選択することができる。Ｆ−ＲＳＤＣ伝送は、既存のＨＲＰＤ  ＦＴＣ用に定義されたＨＡＲＱ方式を使用できる。すなわち、基地局１１０はデータの少なくとも一部を移動体機器１２０に、時分割多重アクセス・エア・インターフェースを介した共用順方向リンク・データ・チャネル上で、移動体機器１２０から肯定応答が受信されるまで、またはある回数の伝送が行われるまで繰り返し送信する。上述の説明から思い出されるように、Ｆ−ＲＳＤＣは１つまたは複数のＦＴＣと時間多重化できる。
【００２４】
移動体機器１２０は、ステップＳ１６で、割り当てられた、または（ＣＱＩによって）暗黙指定されたデータ転送速度を使用して、Ｆ−ＲＳＤＣを指定されたＭＡＣインデックスに関して監視し、Ｆ−ＲＳＤＣを介して送信されたデータをデコードしようとする。例えば、基地局１１０は、割り当てられたＭＡＣインデックスをプリアンブルまたはプリアンブルの一部として使用してデータを送信できる。したがって、移動体機器１２０は、ステップＳ１８で、ＨＡＲＱ動作を容易にするために、パケット・デコーディング状況を示すためにＲ−ＳＡＣＫ上で伝送する。すなわち、パケットが適切にデコードされると、移動体機器１２０は肯定応答（ＡＣＫ）を送信する。パケットが適切にデコードされないと、移動体機器１２０は否定応答（ＮＡＣＫ）を送信する。図２に示されているように、この例では、移動体機器１２０は、基地局１１０からのパケットの先頭２つのＨＡＲＱ伝送に応答してＮＡＣＫを送信し、次にＡＣＫを送信する。Ｒ−ＳＡＣＫチャネル上のＡＣＫ／ＮＡＫ伝送のタイミングは、既存のＨＲＰＤ  Ｒ−ＡＣＫのタイミングと同じようにＦＴＣに関連して定義される、対応するＦ−ＲＳＤＣ伝送からの設定されたオフセットで発生する。所与の移動体機器からのＲ−ＳＡＣＫ上の最初のＡＣＫ／ＮＡＫ伝送は、前に取得プリアンブルを置くことができる。基地局１１０は、ステップＳ２０で、対応するＦ−ＲＳＤＣチャネルを介して順方向予約割り当て解除メッセージを送信することにより、移動体機器１２０に割り当てられたＭＡＣインデックスを除去することができる。このメッセージは、割り当てられたＭＡＣインデックスを使用して、割り当てられたデータ転送速度で送信される。移動体機器１２０は、移動体機器１２０が割り当て解除メッセージを受信するまでＦ−ＲＳＤＣを監視し続ける。
【００２５】
基地局１１０がセル１１５内の２つ以上の移動体機器への伝送用データを受信すると、基地局１１０は、各移動体機器に異なるＭＡＣインデックスが割り当てられるように、各移動体機器について上記のプロセスを実行する。各移動体機器のデータは異なる時間スロットで送信され、それぞれの移動体機器によって、割り当てられたＭＡＣインデックスに基づいて識別される。トラフィック・チャネルの場合とは違って、Ｆ−ＲＳＤＣ上で順方向リンク方向のデータを受信する移動体機器は、移動体機器に同時に割り当てられるデータ伝送用の逆方向チャネルを有する必要はない。
【００２６】
逆方向リンク上では、予約制共用データ・チャネル（Ｒ−ＲＳＤＣ）は、Ｒ−ＲＳＤＣ用に予約されたアクセス・スクランブリング符号を使用する。容量の必要性を満たすために複数のアクセス符号が定義できる。Ｒ−ＲＳＤＣを介するパケット伝送は、既存のＨＲＰＤ逆方向トラフィック・チャネル（ＲＴＣ）の場合と同様にＨＡＲＱプロセスを経る。初回の伝送は、パケット検出を容易にするプリアンブル、それに続くデータ部、パイロット部および転送速度表示部で構成される。同じパケットの後続のＨＡＲＱ伝送は、パイロット部、データ部、およびオプションの転送速度表示部で構成される。基地局１１０は、Ｒ−ＲＳＤＣに関連し、かつ既存のＨＲＰＤ  Ｆ−ＡＣＫチャネルと同じように他の既存のＨＲＰＤ順方向リンクＭＡＣチャネルと符号多重化および時間多重化される順方向共用ＡＣＫチャネル（Ｆ−ＳＡＣＫ）上で肯定応答を提供する。移動体機器１２０が、移動体機器１２０は、伝送する「さらなるデータ」を有することをＲ−ＲＳＤＣ上で別のプリアンブル符号を使用して示すことも可能である。トラフィック・チャネルの場合とは違って、Ｒ−ＲＳＤＣ上で逆方向リンク方向にデータを送信する移動体機器は、移動体機器に同時に割り当てられるデータ伝送用の順方向チャネルを有する必要はない。すなわち、移動体機器は、共用逆方向リンク・データ・チャネルを介して伝送するための逆方向リンク・リソースを割り当て、その割り当てられた逆方向リンク・リソースに関連する順方向リンク・データ伝送用の順方向リンク・リソースを割り当てない。そのため、この実施形態でのデータ伝送は、コネクションレス型と考えることができる。
【００２７】
これと相補的に、また以下からも分かるように、基地局１１０は、逆方向リンク共用データ・チャネル上でデータを受信するためのリソースを提供するが、割り当てられた逆方向リンク・リソースに関連する順方向リンク上でデータを伝送するためのリソースを提供する必要はない。
【００２８】
次に、Ｒ−ＲＳＤＣを使用するデータ伝送の動作を図３について説明する。図３は、本発明の一実施形態による、移動体機器からの逆方向リンク・データ伝送の方法を実行する際の関連チャネルを介した通信を示している。この方法は、図１のワイヤレス遠隔通信ネットワークによって実施されるとおりに説明されるが、本発明の用途はこのネットワークに限定されないことを理解されたい。
【００２９】
図示されているように、移動体機器１２０が少量のデータを伝送したい場合、移動体機器１２０は、ステップＳ４０で、拡張アクセス・チャネル（Ｒ−ＥＡＣ）を介してデータ警報メッセージを送信する。データ警報メッセージは、チャネル品質表示（ＣＱＩ）フィールドも含むことができる。
【００３０】
基地局１１０は、ステップＳ４２で、逆方向リンク上でデータ・トラフィックを受信するためのリソースを割り当て、その割り当てられた逆方向リンク・リソースに関連する順向リンク上でデータを伝送するためのリソースを割り当てないことにより応答する。この割り当ての一部は、Ｒ−ＲＳＤＣ専用に予約された使用可能なＭＡＣインデックスのプールから使用可能なＭＡＣインデックスを選択し、順方向リンク制御チャネル（Ｆ−ＣＣ）上で移動体機器１２０へ逆方向予約割り当てメッセージを送信するステップを含む。このメッセージは、選択されたＭＡＣインデックスを含む。基地局１１０および移動体機器１２０は両方とも、割り当てられたＭＡＣインデックスをアクセス・スクランブリング符号（例えば、長い符号）にマッピングする。この目的のために任意のよく知られたマッピング手法が使用できる。メッセージは、Ｒ−ＲＳＤＣ上での伝送用に割り当てられるＨＡＲＱインターレースの数も示すことができる。
【００３１】
ステップＳ４４において、移動体機器１２０は逆方向予約割り当てメッセージを受信し、逆方向リンク共用データ・チャネル上でデータを伝送するためのリソースを割り当て、その割り当てられた逆方向リンク・リソースに関連する順方向リンク上での基地局からのデータ伝送に関連するリソースを割り当てない。ステップＳ４４において、移動体機器１２０はアクセス・スクランブリング符号も決定し、その決定されたアクセス・スクランブリング符号を使用して、逆方向予約割り当てメッセージの受信からの設定されたタイミングで、割り当てられたＲ−ＲＳＤＣを介してデータ伝送を開始する。初回の伝送は、パケット検出を容易にするプリアンブル、それに続くデータ部、パイロット部および転送速度表示部（例えば、よく知られているＲＲＩ）で構成される。同じパケットの後続のＨＡＲＱ伝送は、パイロット部、データ部、およびオプションの転送速度表示部で構成される。後続のＨＡＲＱ伝送は、前のＨＡＲＱ伝送からの固定インターレース式タイミングで発生する。
【００３２】
基地局１１０は、ステップＳ４６で、Ｒ−ＲＳＤＣに関連する順方向共用ＡＣＫチャネル（Ｆ−ＳＡＣＫ）上で肯定応答を提供する。すなわち、基地局１１０は、Ｒ−ＲＳＤＣ  ＨＡＲＱ伝送に対して、既存の順方向リンクＭＡＣチャネル上で送信されるＡＣＫ／ＮＡＫ表示で応答する。ＭＡＣチャネル伝送は、データが伝送されたＲ−ＲＳＤＣに一意的に関連する直交符号を使用することができる。
【００３３】
基地局１１０は、Ｒ−ＲＳＤＣ上で伝送する移動体機器１２０に閉じたループの電力制御フィードバックを提供するために、既存の順方向ＭＡＣチャネル上のＡＣＫ／ＮＡＫ伝送で、よく知られた電力制御コマンド（ＲＰＣアップ／ダウン・コマンド）も送信することができる。図３に示されているように、この例では、基地局１１０は、移動体機器１２０からの先頭２つの伝送に応答してＮＡＣＫを送信し、次にＡＣＫを送信する。
【００３４】
基地局１１０は、順方向リンク制御チャネルを介して逆方向予約割り当て解除メッセージを送信することにより、移動体機器１２０へのＭＡＣインデックス割り当て、したがって、アクセス・スクランブリング符号割り当てを除去することができる。図３に示されているように、基地局１１０は、順方向ＭＡＣチャネル上でＡＣＫとともに継続（ＣＮＴ）メッセージを送信することにより、割り当てを維持することもできる。したがって、一実施形態では、基地局１１０は、ＭＡＣチャネル上で最後のＨＡＲＱパケット伝送に対応する継続メッセージを送信しないことにより、ＭＡＣインデックス割り当てを除去することもできる。すなわち、この実施形態では、移動体機器１２０は、移動体機器１２０が継続表示の受信に失敗するまで、割り当てられたＲ−ＲＳＤＣチャネルを介して伝送することができる。これらの割り当て解除方法のどちらでも、または両方を使用できることを理解されたい。
【００３５】
アクセス・スクランブリング符号へのＭＡＣインデックスのマッピングは、２つ以上のＭＡＣインデックスが同じスクランブリング符号にマッピングされるように設定することができる。しかし、すべてのＭＡＣインデックスが同じスクランブリング符号にマッピングされる必要はなく、この場合には、２つ以上の逆方向リンクＲＳＤＣが存在できることを理解されたい。さらに、移動体機器による最初のデータ伝送と逆方向予約割り当ての受信との間のタイミング関係、および後続のデータ伝送と前のデータ伝送との間のタイミング関係が理由で、基地局１１０は、それぞれの伝送をインターレースさせることにより、同じＲ−ＲＳＤＣ上で２つ以上の移動体機器をスケジュールすることができる。理解できようが、このスケジューリングは、それぞれの逆方向予約割り当てメッセージが各移動体機器にいつ送信されるかを制御することにより達成される。したがって、トラフィック・チャネルとは違って、Ｒ−ＲＳＤＣは２つ以上の移動体機器からのデータを搬送することができる。また、同じＲ−ＲＳＤＣ上の複数のインターレースを、１つの予約割り当てメッセージを使用して１つの移動体機器に割り当てることもできる。したがって、予約割り当てメッセージは、割り当てられたＲ−ＲＳＤＣインターレースの数を知らせるために明示的または暗黙的フォーマットを有してよい。
【００３６】
次に、上述の実施形態に基づいた追加の代替実施形態または変形形態を説明する。変形および代替形態は、図１のワイヤレス通信ネットワークについて説明されるが、本発明の用途はこのネットワークに限定されないことを理解されたい。
【００３７】
図４は、本発明の別の実施形態による、移動体機器への順方向リンク・データ伝送の方法を実行する際の関連チャネルを介した通信を示している。図示されているように、基地局１１０は、ステップＳ２で、リソースが使用可能であることを示して衝突を減らすために、順方向制御チャネル上でＦ−ＲＳＤＣ用に現在使用可能なＭＡＣインデックスを同報通信する。ネットワーク１００が少量のデータをユーザに伝送したい場合、基地局１１０は、まず、ステップＳ１０で、既存の順方向リンク制御チャネルを介してデータ警報メッセージを送出することにより、ユーザを突き止めようとする。
【００３８】
ユーザの移動体機器１２０が、データ警報メッセージを伝送する基地局１１０のセル１１５内にある場合、移動体機器１２０は、ステップＳ１２で示されるように、既存の拡張アクセス・チャネル（Ｒ−ＥＡＣ）上でデータ警報応答を送信することにより応答する。データ警報応答メッセージは、移動体機器１２０によって観察された順方向リンクＲＦ状態、および基地局１１０によって同報通信された使用可能なＭＡＣインデックスのうちの提案または選択された１つを含む。順方向リンクＲＦ状態はチャネル品質表示（ＣＱＩ）フィールドであってよく、基地局１１０によって、順方向リンク・データ伝送速度を判定するために使用できる。
【００３９】
移動体機器１２０がＭＡＣインデックスを選択するので、図２のステップＳ１４でのような順方向予約割り当てメッセージの送信は必要ない。代わりに、通信は、順方向予約割り当てメッセージの送信を除いて、図２のステップＳ１４について上述されているとおりに進むことができ、方法は、移動体機器１２０によって選択されたＭＡＣインデックスおよびデフォルトのデータ転送速度または事前に定義されたデータ転送速度を用いて、図２のステップＳ１６〜Ｓ２０について上述されているとおりにさらに進む。移動体機器１２０によって選択されたＭＡＣインデックスがもはや使用不可になっている場合、基地局１１０はデータ警報メッセージを再送する。
【００４０】
図５は、本発明の別の実施形態による、移動体機器からの逆方向リンク・データ伝送の方法を実行する際の関連チャネルを介した通信を示している。図示されているように、基地局１１０は、ステップＳ３８で、リソースが使用可能であることを示して衝突を減らすために、順方向制御チャネル上でＲ−ＲＳＤＣ用に現在使用可能なＭＡＣインデックスを同報通信する。移動体機器１２０が少量のデータを伝送したい場合、移動体機器１２０は、ステップＳ４０’で、使用可能なＭＡＣインデックスの１つを選択し、拡張アクセス・チャネル（Ｒ−ＥＡＣ）を介してデータ警報メッセージを送信する。データ警報メッセージは、選択されたＭＡＣインデックスを含み、さらにチャネル品質表示（ＣＱＩ）フィールドも含むことができる。
【００４１】
移動体機器１２０がＭＡＣインデックスを選択して送信するので、基地局１１０は、図３でのように、移動体機器１２０に逆方向予約割り当てメッセージでＭＡＣインデックスを送信する必要はない。したがって、ステップＳ４２’は、図３について上述されたステップＳ４２と同じでよい。あるいは逆方向予約メッセージが選択されたＭＡＣインデックスを含まない点が異なってよい。基地局１１０および移動体機器１２０は両方とも、割り当てられたＭＡＣインデックスをアクセス・スクランブリング符号（例えば、長い符号）にマッピングし、通信は図３でのように進行する。
【００４２】
図４および図５について、基地局１１０は、移動体機器１２０からの選択されたＭＡＣインデックス伝送に、よく知られたアクセス・チャネルＡＣＫ（ＡｃＡＣＫ）メッセージを使用して応答することができる。あるいは、基地局１１０は、図２／３について上述された順方向および／または逆方向予約割り当てメッセージを送信して、移動体機器１２０によって行われた選択を確認することができる。図４について、順方向予約割り当てメッセージは、移動体機器１２０がＦ−ＲＳＤＣをデータ伝送に関して監視すべきデータ転送速度も示すことができる。図５について、移動体機器１２０による伝送は、図３について上述された手順と同じように、逆方向予約割り当てメッセージを使用してスケジュールすることができる。
【００４３】
次に、上述の実施形態の追加の代替形態および変形形態を説明する。一実施形態では、移動体機器１２０は、接続リソース割り当てがＲＳＤＣ伝送に付随するように、またはＲＳＤＣ伝送の後で行われるようにオプションで要求するために、データ警報応答（図２および図４）および／またはデータ警報メッセージ（図３および図５）と一緒に、よく知られた接続要求（ＣＲＭ）メッセージおよび経路更新（ＲＵＭ）メッセージを同じアクセス・チャネル伝送に含むことができる。別の実施形態では、移動体機器１２０は、図２および図４でのように、Ｒ−ＳＡＣＫチャネルでＡＣＫを送信しない。
【００４４】
さらに別の実施形態では、順方向予約割り当て解除メッセージの使用は除去される。代わりに、予約は、単一パケット伝送用にのみ、または割り当てメッセージで指定されたパケットの数だけ用に維持できる。また、移動体機器１２０が前のパケットに対してＮＡＫを送信した場合、または基地局１１０が別の割り当てメッセージによって継続を発行した場合、割り当ては別のパケット伝送用にも維持できる。また、前のパケット伝送の終わりに「ＣＮＴ」表示が送信された場合、逆方向予約も別のパケットに対して継続できる。
【００４５】
さらに、実施形態は基地局で実行されるものとして説明されてきたが、ネットワーク側では、実施形態は、ＲＮＣなどの異なるネットワーク要素によって実施されてよいことを理解されたい。
【００４６】
実施形態では、非チャッティ・タイプのアプリケーションを示す特定の基準が満たされない限り（例えば、バックログ、ＱｏＳフロー・タイプなど）、実際にはエア・インターフェースのトラフィック・チャネルを移動体機器に割り当てずにネットワーク接続リソースを割り当てることにより、動作のコネクションレス型とコネクション指向型のモード間の高速の遷移を容易にすることができる。接続モードとは、トラフィック・チャネルなどの専用チャネルが移動体機器と基地局との間の双方向のデータ通信用に確立されるモードである。トラフィック・チャネルを確立する必要がある場合、基地局は移動体機器にＴＣＡ（トラフィック・チャネル割り当て）メッセージを送信することができる。上述の実施形態によれば、コネクションレス・モードでリソースの少なくとも一部が割り当てられているので、接続状態への遷移は迅速に行うことができる。同様に、接続状態に再度遷移する将来の可能性を予想して、移動体機器が伝送のＲＳＤＣコネクションレス・モードをチャッティ・トラフィックに使用できるようにするためにすべての接続リソースを解放せずにトラフィック・チャネルを割り当て解除することもできる。
【００４７】
本発明はこのように説明されるが、本発明が多様に変更できることは明らかであろう。そのような変形は本発明から逸脱しているとは見なされず、そのような修正はすべて本発明の範囲内に含まれるものとする。
【図１】
2011509630.tif 000003
【図２】
2011509630.tif 000004
【図３】
2011509630.tif 000005
【図４】
2011509630.tif 000006
【図５】
2011509630.tif 000007
【国際調査報告】
2011509630.tif 000008
2011509630.tif 000009
2011509630.tif 000010